(57)【要約】【課題】本発明は、携帯式電子装置から独立した読み取り装置を備える読み取りアセンブリ及び情報転送処理システムを提供することを目的とする。【解決手段】本発明に係る読み取りアセンブリは、読み取り装置と、読み取り装置から独立した携帯式電子装置と、固定部と、を備え、読み取り装置及び携帯式電子装置は固定部に装着され、読み取り装置は情報を読み取り且つ携帯式電子装置に送信し、携帯式電子装置は情報を編集できる。【選択図】図４
2015119475.tif 000002
【特許請求の範囲】
【請求項１】
読み取り装置と、
前記読み取り装置から独立した携帯式電子装置と、
固定部と、
を備える読み取りアセンブリであって、
前記読み取り装置及び前記携帯式電子装置は前記固定部に装着され、前記読み取り装置は情報を読み取り且つ前記携帯式電子装置に送信し、前記携帯式電子装置は、前記情報を編集できることを特徴とする読み取りアセンブリ。
【請求項２】
前記固定部は、第一装着部及び前記第一装着部に連接する第二装着部を備え、前記読み取り装置は前記第一装着部に装着され、前記携帯式電子装置は前記第二装着部に装着されることを特徴とする請求項１に記載の読み取りアセンブリ。
【請求項３】
前記第一装着部には、前記読み取り装置を収容できる収容部が設置されていることを特徴とする請求項２に記載の読み取りアセンブリ。
【請求項４】
前記第一装着部からは、前記第二装着部に係合可能な係合部が延伸していることを特徴とする請求項２又は３に記載の読み取りアセンブリ。
【請求項５】
前記固定部は、前記係合部に設置されている第一吸着部と、前記第一装着部の収容部と反対する側に設置されている第二吸着部と、前記第二装着部の前記収容部が位置する側と相対する側に設置されている第三吸着部と、を備え、前記読み取り装置が前記携帯式電子装置に当接する時、前記第一吸着部は前記第三吸着部に吸着されることを特徴とする請求項４に記載の読み取りアセンブリ。
【請求項６】
前記読み取り装置及び前記携帯式電子装置は反対する両側にそれぞれ位置する時、前記第二吸着部は前記第三吸着部に吸着されることを特徴とする請求項５に記載の読み取りアセンブリ。
【請求項７】
固定部、読み取り装置及び携帯式電子装置を備える読み取りアセンブリと、サーバと、を備える情報転送処理システムであって、
前記読み取り装置及び前記携帯式電子装置は前記固定部に装着され、
前記読み取り装置は、データを読み取るデータ読み取りユニットと、プロセッサと、第一近距離通信ユニットと、を備え、前記プロセッサは、データを解読し且つ解読した情報を前記第一近距離通信ユニットに送信し、前記第一近距離通信ユニットは、前記情報を前記携帯式電子装置に送信し、
前記携帯式電子装置は、第二近距離通信ユニットと、情報編集ユニットと、情報転送ユニットと、を備え、前記第二近距離通信ユニットは、前記第一近距離通信ユニットから前記情報を受信し且つ前記情報を前記情報編集ユニットに送信し、前記情報編集ユニットは、前記情報を編集した後、前記情報転送ユニットに送信し、前記情報転送ユニットは、編集された情報を前記サーバに送信することを特徴とする情報転送処理システム。
【請求項８】
前記固定部は、前記読み取り装置を固定する第一装着部と、前記携帯式電子装置を固定する第二装着部と、前記第一装着部から延伸する係合部と、前記係合部に設置されている第一吸着部と、前記第一装着部に設置されている第二吸着部と、前記第二装着部に設置されている第三吸着部と、を備え、前記読み取り装置が前記携帯式電子装置に当接する時、前記第一吸着部は前記第三吸着部に吸着され、前記読み取り装置及び前記携帯式電子装置が反対する両側にそれぞれ位置する時、前記第二吸着部は前記第三吸着部に吸着されることを特徴とする請求項７に記載の情報転送処理システム。
【発明の詳細な説明】
【技術分野】
【０００１】
本発明は、読み取りアセンブリ及び情報転送処理システムに関するものである。
【背景技術】
【０００２】
現在、郵便業、物流業などの業界にも、個人情報端末の利用が広がっている。従来の技術において、バーコードや電子ラベルなどのデータ情報を読み取る読み取り装置は、個人情報端末内に設置され、該個人情報端末を介することで読み取り機能が実現される。しかし、現在バーコードを読み取る技術が比較的発展していないのに対して、個人情報端末に係るハードウェアやシステムなどの技術は急速に発展している。また、読み取り装置は個人情報端末内に設置されているため、個人情報端末を交換する際、読み取り装置がまだ利用できるにもかかわらず、まだ利用できる読み取り装置ごと新しい個人情報端末を購入しなければならないため、大きなコストが発生する。
【発明の概要】
【発明が解決しようとする課題】
【０００３】
本発明の目的は、前記問題を解決し、携帯式電子装置から独立した読み取り装置を備えた読み取りアセンブリ及び情報転送処理システムを提供することである。
【課題を解決するための手段】
【０００４】
上記目的を達成するために、本発明に係る読み取りアセンブリは、読み取り装置と、読み取り装置から独立した携帯式電子装置と、固定部と、を備え、読み取り装置及び携帯式電子装置は固定部に装着され、読み取り装置は情報を読み取り且つ携帯式電子装置に送信し、携帯式電子装置は情報を編集できる。
【発明の効果】
【０００５】
本発明に係る読み取りアセンブリは、読み取り装置が携帯式電子装置内に設置されていない。従って、読み取り装置又は携帯式電子装置を取り替えなければならない場合、どちらかを取り替えるだけで、読み取りアセンブリは運行可能なので、コストを節約できる。
【図面の簡単な説明】
【０００６】
【図１】本発明の実施形態に係る読み取りアセンブリの組立斜視図である。
【図２】図１に示す読み取りアセンブリの固定部の斜視図である。
【図３】図２に示す固定部の別の視角からの斜視図である。
【図４】本発明の実施形態に係る情報転送処理システムのブロック図である。
【発明を実施するための形態】
【０００７】
図１〜図４に示したように、本発明の実施形態に係る読み取りアセンブリ１００は、物流業に使用され、送り状のバーコードや電子ラベルなどの情報を読み取り、解読し且つ編集する。読み取りアセンブリ１００は、サーバ２００に接続され、情報転送処理システム３００を構成する。
【０００８】
本実施形態において、読み取りアセンブリ１００は、固定部１０と、読み取り装置２０と、携帯式電子装置３０と、を備える。読み取り装置２０と携帯式電子装置３０は、固定部１０に装着される。読み取り装置２０と携帯式電子装置３０との間において、データ通信が確立される。携帯式電子装置３０は、携帯電話、タブレットなど、データを処理し且つ転送機能を有する電子装置である。
【０００９】
図２及び図３に示したように、固定部１０は、たとえば革製であり、メイン部１１と、収容部１３と、係合部１４と、吊り部１５と、吊り縄１６と、第一吸着部１７と、第二吸着部１８と、第三吸着部１９と、を備える。なお固定部１０は、革製に限られるものではなく、布製やゴム製などであってもよい。また後述するように、固定部１０のうち読み取り装置２０と携帯式電子装置３０との間の部分が湾曲または屈曲することにより、固定部１０に装着された読み取り装置２０と携帯式電子装置３０とは、固定部１０に装着されたまま回転（開閉）が可能となっている。そのため、少なくとも固定部１０のうち、読み取り装置２０と携帯式電子装置３０との間なる部分の一部は、上述の湾曲または屈曲して回転（開閉）が可能となるように、上述した革製、布製またはゴム製などの湾曲可能または屈曲可能な柔軟性のある素材（フレキシブルな素材）で構成されている。またこのような素材に限らず、固定部１０のうちの読み取り装置２０と携帯式電子装置３０との間の部分に、上述の回転（開閉）が可能となるような機械的な機構（たとえば、ヒンジや蛇腹など）が設けられていてもよい。なお固定部１０のうち、読み取り装置２０と携帯式電子装置３０とが装着される箇所の部分は、湾曲可能または屈曲可能な柔軟性のある素材（フレキシブルな素材）で構成されなくてもよい。収容部１３は、メイン部１１の一方の側に且つメイン部１１の正面に設置されている。係合部１４は、収容部１３に隣接し、また、メイン部１１に連接されている。吊り部１５及び吊り縄１６は、メイン部１１において、メイン部１１の収容部１３が位置する側と相対する側に連接されている。第一吸着部１７は、係合部１４の正面に設置されている。第二吸着部１８及び第三吸着部１９は、メイン部１１の背面（収容部１３が設置される面に対して反対となる面）に設置され、且つメイン部１１の両側辺にそれぞれ隣接している。
【００１０】
メイン部１１は、第一装着部１１１及び第二装着部１１３を備える。第一装着部１１１及び第二装着部１１３は、矩形を呈し、且つ互いに向けて又は互いに離れるように回転できる。収容部１３は、第一装着部１１１に設置され、読み取り装置２０を収容する。吊り部１５及び吊り縄１６は、第二装着部１１３の両端にそれぞれ連接されている。吊り部１５は、ペンなどを貫通させることによって、ペンなどを固定部１０に装着できる。吊り縄１６は、ユーザの腕などに掛けられる。これにより、ユーザが読み取りアセンブリ１００を便利に携帯できるようになると共に、ユーザが読み取りアセンブリ１００を誤って落とすのを防ぐことができる。
【００１１】
第二吸着部１８は、第一装着部１１１の背面に設置され、第三吸着部１９は第二装着部１１３の背面に装着される。
【００１２】
第一装着部１１１を第二装着部１１３に向けて回転させる（即ち、第一装着部１１１と第二装着部１１３とが平行になるようにする）と、係合部１４は第三吸着部１９に係合される。即ち、第一吸着部１７は第三吸着部１９に吸着される。この時、収容部１３は、第一装着部１１１と第二装着部１１３との間に収容される。また、第一装着部１１１を第二装着部１１３から離れるように回転させる（即ち、第一装着部１１１と第二装着部１１３とが平行になるようにする）と、第二吸着部１８は第三吸着部１９に吸着される。この時、収容部１３は露出する。
【００１３】
本実施形態において、第一吸着部１７、第二吸着部１８及び第三吸着部１９は、永久磁石である。
【００１４】
収容部１３は、金属製又はプラスチック製である。
【００１５】
図４に示したように、本実施形態において、読み取り装置２０は、無線通信によって携帯式電子装置３０に接続される。読み取り装置２０は、送り状のバーコードや電子ラベルを読み取るために使用されるので、高周波数の読み取り装置、超高周波数の読み取り装置、２．４Ｇの稼働中モジュールを有する読み取り装置、又はこれら三種類の読み取り装置の機能を有する読み取り装置であっても良い。読み取り装置２０は、データ読み取りユニット２１と、プロセッサ２３と、第一近距離通信ユニット２５と、を備える。データ読み取りユニット２１及び第一近距離通信ユニット２５は、プロセッサ２３に電気的に接続される。データ読み取りユニット２１は、送り状のバーコードや電子ラベルを読み取るために使用される。プロセッサ２３は、読み取りユニット２１が読み取った情報（データまたはデータ情報）を解読し、且つ、読み取って解読した情報を第一近距離通信ユニット２５に送信する。第一近距離通信ユニット２５は、無線通信を介して該情報を携帯式電子装置３０に送信する。
【００１６】
携帯式電子装置３０は、読み取り装置２０から送信された情報を受信して編集した後、該編集された情報をサーバ２００に送信する。具体的には、携帯式電子装置３０は、第二近距離通信ユニット３１と、情報編集ユニット３３と、情報転送ユニット３５と、を備える。第二近距離通信ユニット３１は、第一近距離通信ユニット２５から送信された情報を受信し且つ情報編集ユニット３３に送信する。情報編集ユニット３３は、該情報を編集し、例えば、連絡先電話番号や受取人情報などを編集した後、該編集された情報を情報転送ユニット３５に送信し、情報転送ユニット３５を介して、編集された情報をサーバ２００に送信する。
【００１７】
サーバ２００は、携帯式電子装置３０から送信された情報を受信し且つ記憶する。これによって、ユーザは、サーバ２００を介して、情報を検索したり又は整理することができる。
【００１８】
本実施形態において、第一近距離通信ユニット２５及び第二近距離通信ユニット３１は、Bluetooth（登録商標）モジュールであって、近距離且つ低消費電力のデータ転送ができる。また、情報転送ユニット３５は、任意の通信方式（たとえば、第一近距離通信ユニット２５及び第二近距離通信ユニット３１において用いられる通信方式よりも長距離通信が可能な任意の通信方式）により、長距離のデータ転送ができる。
【００１９】
他の実施形態において、第一近距離通信ユニット２５及び第二近距離通信ユニット３１は、Ｗｉ−Ｆｉ（登録商標）モジュールであっても良い。
【００２０】
他の実施形態において、読み取り装置２０は、有線データ通信によって携帯式電子装置３０に接続されても良い。
【００２１】
読み取りアセンブリ１００を組み立てる際、読み取り装置２０を収容部１３内に収容する。次いで、携帯式電子装置３０を保護ハウジング内に収容する。この際、携帯式電子装置３０は、粘着などを介して固定部１０の第一装着部１１１に固定される。
【００２２】
ユーザが読み取りアセンブリ１００を携帯する際、第一装着部１１１を第二装着部１１３に向けて回転させて、読み取り装置２０を携帯式電子装置３０の上に載置させる。次いで、第一吸着部１７を第三吸着部１９に吸着させれば、読み取り装置２０及び携帯式電子装置３０は固定部１０に固定され、読み取りアセンブリ１００を小型化できるため、便利に携帯できる。
【００２３】
読み取りアセンブリ１００を使用してラベルなどを読み取る前に、先ず、第一吸着部１７を第三吸着部１９から離す。次いで、第一装着部１１１を第二装着部１１３から離れるように回転させた後、第一装着部１１１の背面が第二装着部１１３の背面に当接されるように、第一装着部１１１を第二装着部１１３へ向けて回転させる。次いで、第二吸着部１８を第三吸着部１９に吸着させることにより、読み取り装置２０と携帯式電子装置３０を反対する両側にそれぞれ位置するようにしたまま固定できる。
【００２４】
読み取りアセンブリ１００を使用してラベルを読み取る際、先ず、読み取り装置２０と携帯式電子装置３０のスイッチをそれぞれ押して、読み取り装置２０と携帯式電子装置３０との間のデータ通信を確立させる。次いで、バーコードや電子ラベルなどの読み取り対象を読み取り装置２０が読み取り可能な区域内まで、読み取り対象または読み取り装置２０を移動させれば、読み取り装置２０はバーコードや電子ラベルなどの情報を読み取り且つ携帯式電子装置３０に送信することができる。携帯式電子装置３０は、該情報を受信し且つ解読する。これにより、ユーザは、携帯式電子装置３０によって解読された情報を編集し且つサーバ２００に送信し、編集された情報をサーバ２００に記憶させることができる。
【００２５】
本発明の実施形態に係る読み取りアセンブリ１００は、読み取り装置２０が携帯式電子装置３０内に装着されていない。従って、読み取り装置２０又は携帯式電子装置３０を取り替えなければならない場合、どちらかを取り替えるだけで、読み取りアセンブリ１００は運行可能なので、コストを節約できる。また、読み取り装置２０及び携帯式電子装置３０は固定部１０に設置されて保護されるので、容易に損傷される又は破損されることがない。また、携帯にも便利である。
【符号の説明】
【００２６】
１００  読み取りアセンブリ
１０  固定部
１１  メイン部
１１１  第一装着部
１１３  第二装着部
１３  収容部
１４  係合部
１５  吊り部
１６  吊り縄
１７  第一吸着部
１８  第二吸着部
１９  第三吸着部
２０  読み取り装置
２００  サーバ
２１  データ読み取りユニット
２３  プロセッサ
２５  第一近距離通信ユニット
３０  携帯式電子装置
３００  情報転送処理システム
３１  第二近距離通信ユニット
３３  情報編集ユニット
３５  情報転送ユニット
【図１】
2015119475.tif 000003
【図２】
2015119475.tif 000004
【図３】
2015119475.tif 000005
【図４】
2015119475.tif 000006